(57)【特許請求の範囲】
【請求項１】
住宅の外周に設けられた垣根を該住宅の外側から撮影する撮影手段と、
該撮影手段で撮影された垣根画像を記憶する記憶手段と、
該記憶手段に記憶された前記垣根画像に基づいて、前記垣根の見通し性の指標として該垣根の隙間量である視線透過率を生成する視線透過率演算手段と、
該視線透過率演算手段によって生成された視線透過率を表示可能な表示手段と、
を具備することを特徴とする垣根の視線透過率測定装置。
【請求項２】
前記撮影手段が、偏光フィルターを具備していることを特徴とする請求項１記載の垣根の視線透過率測定装置。
【請求項３】
前記垣根が生垣であることを特徴とする請求項１又は２記載の垣根の視線透過率測定装置。
【請求項４】
前記撮影手段で前記垣根を撮影する際に、発光シートが、該発光シートと前記撮影手段との間に前記垣根が位置するように該垣根の住宅側に設けられることを特徴とする請求項１乃至３記載の垣根の視線透過率測定装置を用いた視線透過率の測定方法。
【発明の詳細な説明】
【技術分野】
【０００１】
この発明は、住宅の外周に設けられた垣根の見通し性の指標として該垣根の隙間量である視線透過率を算出するための垣根の視線透過率測定装置、及び、該垣根の視線透過率測定装置を用いた視線透過率の測定方法に関する。
【背景技術】
【０００２】
住宅が建設される際には、家とその外部とを隔てるための境界として垣根が多くの住宅の外周に設けられている。しかし、近年、垣根によって外部からの視線を遮断していることが逆に悪用され、日中に空き巣等の被害を受けても、目撃情報が得られにくいなど社会問題にも悪影響が出始めている。そのため、住宅の防犯性を向上させるために、図８に示すように、ブロック体１０１を上下左右に交互に積み重ねていも積み配置として垣根１０２を形成し、見通しが良好となるように該垣根１０２に開口部１０３が形成されたものが考案されている（例えば、特許文献１）。
【０００３】
【特許文献１】特開２００６−２４９７２２号公報
【発明の開示】
【発明が解決しようとする課題】
【０００４】
しかし、前述のように防犯上、垣根の見通しが良いか否かの判断は、該垣根を形成する作業者の勘や経験等の個人の主観に委ねられているため、作業者が異なる場合には、同様の品質の垣根を形成できるとは限らず、さらには、同一の作業者であっても、同様の品質の垣根を形成することは困難である。また、生垣を剪定する場合にも、顧客から「見通しが良いように生垣を剪定してほしい」等の依頼があった際には、見通しの程度を判断する基準がないため作業者が困惑する等の問題が生じる。
【０００５】
この発明は上記のような種々の課題を解決することを目的としてなされたものであって、視線透過率を測定することで、垣根の見通しの判断基準を明確にし、また、個人差による見通し性の誤差をなくすことのできる垣根の視線透過率測定装置、及び、垣根の視線透過率測定装置を用いた視線透過率の測定方法に関する。
【課題を解決するための手段】
【０００６】
上記目的を達成するために、請求項１記載の垣根の視線透過率測定装置は、住宅の外周に設けられた垣根を該住宅の外側から撮影する撮影手段と、該撮影手段で撮影された垣根画像を記憶する記憶手段と、該記憶手段に記憶された前記垣根画像に基づいて、前記垣根の見通し性の指標として該垣根の隙間量である視線透過率を生成する視線透過率演算手段と、該視線透過率演算手段によって生成された視線透過率を表示可能な表示手段と、を具備することを特徴としている。
【０００７】
請求項２記載の垣根の視線透過率測定装置は、前記撮影手段が、偏光フィルターを具備していることを特徴としている。
【０００８】
請求項３記載の垣根の視線透過率測定装置は、前記垣根が生垣であることを特徴としている。
【０００９】
請求項４記載の垣根の視線透過率測定装置を用いた視線透過率の測定方法は、前記撮影手段で前記垣根を撮影する際に、発光シートが、該発光シートと前記撮影手段との間に前記垣根が位置するように該垣根の住宅側に設けられることを特徴としている。
【発明の効果】
【００１０】
請求項１記載の垣根の視線透過率測定装置によれば、垣根を該住宅の外側から撮影する撮影手段と、撮影された垣根画像を記憶する記憶手段と、該垣根画像を基に、垣根の見通し性の指標として該垣根の隙間量である視線透過率を生成する視線透過率演算手段を具備している。これにより、住宅の外側からの垣根の見通し性を定量化することができるので、該垣根の見通し性の判断基準を明確にし、また、個人差による見通し性の誤差をなくすことができる。
【００１１】
さらに、顧客から依頼された垣根の品質の安定化に貢献することができる。また、視線透過率演算手段によって生成された視線透過率を表示可能な表示手段を具備するので、作業現場で視線透過率を測定し、作業者がこの結果を確認しながら作業を行うことができるので、確実に垣根の視線透過率を所望の値に設定することができる。そして、顧客も明確な基準に基づいて垣根が形成されていることを知れば、該垣根の防犯性に対して安心感を得ることができる。また、空き巣被害にあった住宅の垣根の視線透過率のデータを集計し、統計化することで、明確な基準に基づいた見通し性がよく防犯性の高い垣根を提供することが可能となる。
【００１２】
請求項２記載の垣根の視線透過率測定装置によれば、前記撮影手段が、偏光フィルターを具備している。これにより、撮影手段によって垣根画像の撮影を日中、若しくは、フラッシュを使用して行った際にも、生垣の葉や、垣根の表面等に太陽光やフラッシュの光が反射した反射光が、該垣根画像に写りこむことを防止することができ、視線透過率演算手段の色の識別を容易にするので、より正確な視線透過率を測定することができる。
【００１３】
請求項３記載の垣根の視線透過率測定装置によれば、前記垣根が生垣であるので、季節によって変化する生垣に使用される植物の成長等に応じて、視線透過率を適宜測定しながら剪定することができる。これにより、個人差による見通し性の誤差をなくし、生垣の視線透過率を所望の値に設定することができるので、形状の変化に伴いその視線透過率が変化する生垣の防犯性の維持を容易なものとすることができる。
【００１４】
請求項４記載の垣根の視線透過率測定装置を用いた視線透過率の測定方法によれば、前記撮影手段で前記垣根を撮影する際に、発光シートが、該発光シートと前記撮影手段との間に前記垣根が位置するように該垣根の住宅側に設けられている。これにより、撮影手段によって住宅の外側から垣根画像の撮影を日中、若しくは、フラッシュを使用して行った際に、垣根の隙間から太陽光、若しくは、フラッシュの光によって発光した発光シートを撮影することができるので、生垣の葉や垣根の表面等と、垣根の隙間との区別を明確に行うことができ、より正確な視線透過率を測定することができる。
【発明を実施するための最良の形態】
【００１５】
この発明における垣根の視線透過率測定装置の最良の実施形態について、以下に説明する。本発明に係る垣根の視線透過率測定装置１は、図１、図２、図４、図７に示すように、住宅２の外周に設けられた垣根３を該住宅２の外側から撮影する撮影手段４と、該撮影手段４で撮影された垣根画像Ａを記憶する記憶手段５と、該記憶手段５に記憶された垣根画像Ａに基づいて、垣根３の見通し性の指標として該垣根３の隙間３ａの量である視線透過率を生成する視線透過率演算手段６と、該視線透過率演算手段６によって生成された視線透過率を表示可能な表示手段７と、を具備している。
【００１６】
前記垣根３は、図７に示すように、たとえば戸建の住宅２等において、該住宅２とその外部とを隔てるための境界として主にその周囲に設けられるものである。また、垣根３は、図１に示すように、植物８を利用した生垣３としてもよいが、図２に示すように、メンテナンスが容易なコンクリートブロック９を積み重ねた壁等を垣根３とすることもでき、さらには、植物８とコンクリートブロック９等を組合わせて垣根３を形成してもよい。生垣３に使用される植物８としては、年中葉を持つ常緑樹であり、病害虫が少なく栽培管理が容易なキンメツゲやシラカシ等を好適に使用することができるが、これらの植物８は気候風土等に応じて適宜変更することができる。また、垣根３の高さは、例えば図７に示す道路１０を人が通った際に住宅２の住人が人目を気にせず窓１１を開けることができる程度の１．５〜２．０メートル程度に形成されていることが好ましいが、これらの設計も適宜変更することができる。
【００１７】
前記撮影手段４は、静止画像として撮影した垣根画像Ａを電子データに容易に変換可能なデジタルカメラ等を好適に使用することができる。また、生垣３の場合には風による全体形状の変化に伴い見通し性も変化することがあるので、一定期間その動画像を撮影し、所定時間ごとの視線透過率を測定するために、撮影手段４としてビデオカメラ等を使用してもよい。従って、本発明でいう垣根画像Ａとは、垣根３の静止画像だけでなく、その動画像も含む概念である。これらの撮影手段４には夜間でも撮影が可能なようにフラッシュ４ａが設けられており、タイマーやその他の周知の技術を必要に応じて付与することが可能である。
【００１８】
撮影手段４で垣根３を撮影する際には、必要に応じて図３に示すように、発光シート１２を、該発光シート１２と撮影手段４との間に垣根３が位置するように垣根３の住宅２側に設けることができる。ここで発光シート１２とは、該発光シート１２の面上で均一に自己発光するものを始め、自己発光せず例えば太陽光等の光を該発光シート１２の面上で均一に拡散反射するものをいう。そして、自己発光しない発光シート１２としては、液晶プロジェクタ等の投影装置のスクリーンとして使用されるシート等を好適に使用することができる。すなわち、ガラス繊維の表面に塩化ビニル等の白色の合成樹脂を塗布し、さらにその表面にスクリーンの反射特性を向上するために凹凸加工が施されたシート等を好適に使用することができる。
【００１９】
また、シートの表面には、さらにガラス微粒子がその表面一帯に埋め込まれ反射特性を向上するものであってもよいし、合成樹脂製のシート表面に、プリズム等が形成された反射シート等も好適に使用することができる。しかし、発光シート１２は前述のものに限定されるものではなく、白色の布であっても使用することができ天候や現場の明るさ等に応じて適宜変更することができる。自己発光する発光シート１２としては、例えば表面に凹凸加工が施された導光板を具備し、両端に設けられた発光装置からの光を面発光可能なシート等を使用することができる。そして、発光シート１２の色は前述のような白色に限定されず、赤色、青色、さらには黒色等の視線透過率演算手段６が垣根３の色と区別しやすい色を好適に選択でき、また、厚みや形状も適宜変更することができ、必要に応じて板状の部材に貼付ける等して使用することもできる。
【００２０】
前記視線透過率演算手段６は、撮影手段４で撮影され記憶手段５に記憶された垣根画像Ａに基づいて視線透過率を生成する。本発明でいう視線透過率とは、垣根３の見通し性の判断材料として使用する、垣根画像Ａの全体の面積に対する該垣根３の隙間３ａの面積の割合である。従って、例えば図５に示すように、千鳥格子状にコンクリートブロック９を積んで垣根３を形成した場合には、該垣根３の隙間３ａから発光シート１２を視認できる割合、すなわち、図５に示す垣根画像Ａの全体の面積に対する隙間３ａの割合は５０パーセントであるので、この場合には視線透過率も５０パーセントとなる。そして、生成された該視線透過率は液晶ディスプレイ等のカラー画像を表示可能な表示手段７にて表示される。
【００２１】
視線透過率演算手段６は、垣根画像Ａ中の垣根３部分と隙間３ａとを区別して認識し、画像全体の面積に対する隙間３ａの面積の割合を算出することにより視線透過率を生成する。詳細には、図６に示すように、植物８が使用される生垣３等の場合には、葉の色と該生垣３の隙間３ａから見える図１に示す発光シート１２との色の違いを判断して視線透過率を生成する。また、特定領域の色が垣根３、若しくは、発光シート１２の識別は作業者が適宜選択することができる。そのため、例えば垣根３が白色に塗装されたコンクリートブロック９を積んで形成され、その隙間３ａから見える住宅２の外壁２ａも白色である場合には、例えば黒色の発光シート１２を、図２に示すように、該垣根３の住宅２側に設けることで、垣根３の表面の色と該垣根の隙間３ａから見える発光シート１２の色との違いが明確になり、視線透過率演算手段６はより正確に視線透過率を生成することができる。そして、垣根３の隙間３ａの面積は、例えば作業者によって選択された垣根画像Ａ中の隙間３ａの色領域の画素数等から算出されるが、その他の周知の方法を適宜選択して使用することができる。
【００２２】
撮影手段４で撮影された垣根画像Ａに、太陽光やフラッシュ４ａの光等が垣根３の表面や生垣３の葉に反射した反射光が写りこむ場合には、図１に示すように、偏光フィルター４ｂを使用することで該反射光の写りこみを防止することができる。これは、垣根３の表面や生垣３の葉等での境界面反射で偏光した光を偏光フィルター４ｂでカットすることができるからである。そのため、視線透過率演算手段６が垣根画像Ａに基づいて視線透過率を生成する際に、反射光が色の識別の妨げになることがなく、垣根画像Ａにおいて垣根３の表面と該垣根３の隙間３ａとの区別を明確にでき、より正確に視線透過率を測定することができる。偏光フィルター４ｂは、撮影手段４のレンズ４ｃに着脱自在に取付けられており、また、カメラ用の周知の偏光フィルター４ｂを適宜使用することができる。
【００２３】
視線透過率測定装置１は、図１、図２に示すように、撮影手段４としてのデジタルカメラと、記憶手段５と視線透過率演算手段６と表示手段７とを具備するノート型パソコン１３とが、該デジタルカメラからの垣根画像Ａ等の電子データを該パソコン１３に送信可能なケーブル１４で接続されるようにして形成されている。本実施形態に係る視線透過率測定装置１では、撮影手段４とその他の手段とが別々に構成されているが、これらを一体型として構成できるのは勿論である。
【００２４】
以上のように構成される視線透過率測定装置１の使用方法について以下に説明する。
【００２５】
まず、図３に示すように、発光シート１２と撮影手段４との間に垣根３が位置するようにして、垣根３の住宅２側に発光シート１２を設置し、該垣根３の外側に撮影手段４を設置する。そして、作業者が撮影手段４のシャッター４ｄを押すことで、該撮影手段４は垣根画像Ａの撮影の要求があったと判断し、垣根画像Ａを撮影する。そして、撮影手段４によって撮影された垣根画像Ａはケーブル１４を介してパソコン１３に送信され、表示手段７には該垣根画像Ａが表示されると共に、該パソコン１３は垣根画像Ａを記憶手段５に記憶する。その際には、垣根画像Ａは、撮影手段４の記憶部（不図示）にも保存することができ、さらに、該撮影手段４の表示部４ｅにも表示することができる。そして、視線透過率演算手段６は、垣根画像Ａを受信し、該垣根画像Ａを記憶し、作業者によって色領域が選択され演算処理の要求があったと判断し既述のように垣根３の表面の色と該垣根３の隙間３ａの色とを区別し、垣根画像Ａの全体の面積に対する垣根３の隙間３ａの面積の割合を視線透過率として表示手段７に表示するのである。
【００２６】
また、空き巣の被害を被った住宅２に設けられた垣根３の視線透過率を測定して統計化し、その平均値を算出することで、いわゆる、防犯上見通しの良い垣根３の視線透過率の閾値等を算出することもできる。
【００２７】
これにより、例えば顧客から生垣３の剪定依頼があった場合には、まず、視線透過率測定装置１で現在の生垣３の視線透過率の測定を行い、現状の視線透過率の防犯性について前述の統計に基づいて顧客に説明し、続いて、剪定を行いながら随時視線透過率を測定して視線透過率が所望の値となるように仕上げることができる。また、剪定を行う際には、所定の視線透過率がどの程度のものであるかの目安となる剪定例が示された手引図等に基づいて剪定を行い、最終的な仕上がりの視線透過率を測定して所望の値になっているか否かを判断するようにしてもよい。
【００２８】
尚、垣根３が、図２に示すように、コンクリートブロック９等で形成される場合には、該垣根３が一端形成された後には、その視線透過率は変化することはないが、垣根３が、図１に示すように、植物８が使用される生垣３である場合において、特に春や夏等の植物８の育成が著しい時期には一定期間ごとに該垣根３の視線透過率を測定し剪定を行うことが好ましい。このように視線透過率測定装置１を用いて視線透過率を測定することで、垣根３がコンクリートブロック９、若しくは、植物８あるいは他の遮蔽材等で形成された場合の何れにおいても、作業者の主観や経験に囚われることなく、視線透過率という一定の指標を持って垣根３を形成したり、剪定したりすることができるので、垣根３の品質を安定化することができる。また、顧客も明確な基準に基づき垣根３が形成され、また、生垣３が剪定されているので、防犯性に関して安心感を得ることができる。
【産業上の利用可能性】
【００２９】
本発明に係る視線透過率測定装置１は住宅２の周りに設けられる垣根３だけではなく、公園等の垣根３にも使用することができ、さらに、視線透過率は、その他にも垣根３や住宅２の外壁２ａ等の風の通気性を判断する指標として使用することも可能である。
【図面の簡単な説明】
【００３０】
【図１】本実施形態に係る視線透過率測定装置の使用状態斜視図
【図２】本実施形態に係る視線透過率測定装置のその他の使用状態斜視図
【図３】本実施形態に係る視線透過率測定装置の使用状態側面図
【図４】本実施形態に係る視線透過率測定装置の構成を示す図
【図５】千鳥格子状に形成された垣根の画像を示す図
【図６】撮影手段が撮影した垣根画像を示す図
【図７】住宅の周囲に垣根が形成された状態を示す斜視図
【図８】従来技術を示す図
【符号の説明】
【００３１】
１        視線透過率測定装置
２        住宅
２ａ      外壁
３        垣根（生垣）
４        撮影手段
５        記憶手段
６        視線透過率演算手段
７        表示手段
１２      発光シート
【図１】
0004793658.tif 000002
【図２】
0004793658.tif 000003
【図３】
0004793658.tif 000004
【図４】
0004793658.tif 000005
【図５】
0004793658.tif 000006
【図６】
0004793658.tif 000007
【図７】
0004793658.tif 000008
【図８】
0004793658.tif 000009